(57)【要約】【課題】貫通部に燃え止まり層として取り付けられる筒状耐火被覆材を、精度良く安価に形成できるようにして、簡易に且つ低コストで設けることのできる貫通部の耐火被覆構造を提供する。【解決手段】木造建築物の耐火梁２０に形成された貫通部１１を耐火被覆する耐火被覆構造であって、貫通部１１の内周面を覆って、筒状耐火被覆材１２が、貫通部１１に取り付けられている。筒状耐火被覆材１２は、厚さが９．５ｍｍ〜２５．５ｍｍの市販の石膏ボード１３から切り出された複数の石膏ボード片１３ａを、厚さ方向に積層した状態で接合一体化することにより形成される。筒状耐火被覆材１２は、積層方向に隣接する石膏ボード片１３ａの接合部１５を、耐火梁２０の構造用部材２１と被覆部材２２との境目部２３、又は境目部２３と近接する部分に各々配置した状態で、貫通部１１に挿通されて取り付けられている。【選択図】図２
2019112795.tif 000002
【特許請求の範囲】
【請求項１】
木造建築物の防火区画体に形成された貫通部、又は木造建築物の耐火構造材に形成された貫通部を耐火被覆する貫通部の耐火被覆構造であって、
前記貫通部の内周面を覆って、筒状耐火被覆材が前記貫通部に取り付けられており、前記筒状耐火被覆材は、複数の石膏ボード片を、厚さ方向に積層した状態で接合一体化することにより筒状に形成されている貫通部の耐火被覆構造。
【請求項２】
複数の前記石膏ボード片は、環状の石膏ボード片となっている請求項１記載の貫通部の耐火被覆構造。
【請求項３】
複数の前記石膏ボード片の各々は、厚さが９．５ｍｍ〜２５．５ｍｍの石膏ボードから切り出されたものとなっている請求項１又は２記載の貫通部の耐火被覆構造。
【請求項４】
複数の前記石膏ボード片は、留め金具を用いて互いに固定されることにより積層した状態で接合一体化されて、前記筒状耐火被覆材を形成している請求項１〜３のいずれか１項記載の貫通部の耐火被覆構造。
【請求項５】
前記石膏ボード片は、円環形状の石膏ボード片となっており、前記筒状耐火被覆材は、円筒形状の耐火被覆材となっている請求項１〜４のいずれか１項記載の貫通部の耐火被覆構造。
【請求項６】
前記耐火構造材は、荷重支持層となる構造用部材と、該構造用部材の表面を覆って配置されて燃え代層となる被覆部材とを含んで構成されており、前記貫通部は、前記構造用部材と前記被覆部材との境目部と交差して貫通形成されており、前記石膏ボード片を積層して形成されている前記筒状耐火被覆材は、積層方向に隣接する前記石膏ボード片の接合部を、前記構造用部材と前記被覆部材との境目部、又は該境目部と近接する部分に配置した状態で、前記貫通部に挿通されて取り付けられている請求項１〜５のいずれか１項記載の貫通部の耐火被覆構造。
【請求項７】
前記耐火構造材は、耐火梁となっており、該耐火梁は、荷重支持層となる構造用部材と、該構造用部材の両側の側面を覆って配置されて燃え代層となる一対の被覆部材とを含んで構成されており、前記貫通部は、前記構造用部材と前記被覆部材との２箇所の境目部と交差して貫通形成されており、前記石膏ボード片を積層して形成されている前記筒状耐火被覆材は、積層方向に隣接する前記石膏ボード片の２箇所の接合部を、２箇所の前記構造用部材と前記被覆部材との境目部、又は該境目部と近接する部分に各々配置した状態で、前記貫通部に挿通されて取り付けられている請求項６記載の貫通部の耐火被覆構造。
【発明の詳細な説明】
【技術分野】
【０００１】
本発明は、貫通部の耐火被覆構造に関し、特に、木造建築物の防火区画体に形成された貫通部、又は木造建築物の耐火構造材に形成された貫通部を耐火被覆する貫通部の耐火被覆構造に関する。
【背景技術】
【０００２】
木造建築物の防火区画は、建築物の内部で火災が発生したときに、火災を一定の範囲内に留めて、他に拡大しないようにするために、耐火構造の床、壁、天井、防火戸などで建築物をいくつかの部分に区画する場合の区画の周囲に配される、床、壁、天井、防火戸等の壁体（以下、「防火区画体」と称する。）である。これらの防火区画体には、配管や配線等を通すための貫通部を形成する必要を生じる場合があり、防火区画体に貫通部を形成するための構造として、例えば図７（ａ）、（ｂ）示すようなものが一般に用いられている。
【０００３】
図７（ａ）、（ｂ）に示す防火区画体に貫通部を形成するための構造では、壁や床の貫通部を設けたい箇所に、予め木枠５０を組んで、木枠５０の内周を石膏ボード等の耐火被覆材５１で被覆すると共に、貫通部の周囲の壁や床の表面に、石膏ボード等の耐火被覆材５２を取り付け、木枠５０の内側に、塩化ビニールや鋼等からなる配管５３を、好ましくは受け材５４で支持させた状態で通すことにより、配管５３による貫通部を形成するようになっている。
【０００４】
また、例えば日本の木造建築物では、伝統的に木製の梁や柱を現した真壁造となっているように、構造材である木製の梁や柱の木の表面を、室内に露出させて現したデザインが好まれている。これらの木製の梁や柱の木の表面を室内に露出させて現したデザインは、燃え代設計を行うことにより、所望の耐火性を得られるようにすることが可能であるが、このような燃え代設計された梁や柱に貫通部を形成する場合、貫通部の部分で耐火性が失われて、貫通部から周囲に火災が燃え広がることで、燃え代設計された梁や柱の荷重支持層による支持力に影響を及ぼすことになり易い。
【０００５】
このため、図８（ａ）、（ｂ）示すように、例えば燃え代設計された梁５８に配管５７を通す場合、耐火性を備える天井被覆５５の上方の天井空間において、梁５８に貫通部５６を設けて配管５７を通したり（図８（ａ）参照）、梁５８に貫通部を設けることなく、梁５８の外周面に沿わせて配管５７を通したり（図８（ｂ）参照）する方法が採用されていたが、天井被覆５５の上方の天井空間に貫通部５６を設ける方法では、梁５８の現し部分が小さくなり、また梁５８の外周面に沿わせて配管５７を通す方法では、見た目が悪くなって、いずれも、現し梁としての意匠性を損なうことになる。
【０００６】
これに対して、貫通部から周囲に火災が燃え広がらないようにした、耐火性を有する木製の構造部材が提案されている（例えば、特許文献１参照）。特許文献１の木製の構造部材では、梁を貫通する貫通部の内周面を覆って、例えばモルタルで形成された管部材を、燃え止まり部として貫通部に挿通して設置すると共に、貫通部の内周面と管部材の外周面との間の隙間に、モルタル等の耐火性を有する材料による充填材を充填するようになっている。また、特許文献１には、燃え止まり部を形成することが可能な熱を吸収できる熱容量の大きな材料として、モルタルの他、石膏や、珪酸カルシウム等を使用できることが記載されている。
【先行技術文献】
【特許文献】
【０００７】
【特許文献１】特許第６０１４３２０号公報
【発明の概要】
【発明が解決しようとする課題】
【０００８】
しかしながら、上記従来の貫通部から周囲に火災が燃え広がらないようにした貫通部の耐火被覆構造では、貫通部に設置される管部材は、燃え止まる材料として例えばモルタル、石膏、珪酸カルシウム等を、筒状の型に流し込んで固めることにより形成されるものであるため、寸法精度が十分ではなく、特に木造建築物の耐火構造材を貫通する貫通部を耐火被覆する際に、貫通部にぴったりと嵌め込むようにして取り付けることが困難になる場合がある。
【０００９】
また、貫通部の形状に合せて、成形用の筒状の型を、その都度形成する必要があることから、製作コストが高くなる。
【００１０】
さらに、木造建築物の耐火構造材が、例えば荷重支持層となる構造用部材と、構造用部材の表面を覆って配置されて燃え代層となる被覆部材とを含んで構成されており、貫通部が、構造用部材と被覆部材との境目部と交差して形成されている場合に、例えば構造用部材と被覆部材とが乾燥収縮する際の挙動の相違や荷重を支持する際の挙動の相違によって、これらの境目部に段差が生じると、この段差の部分において、モルタル、石膏、珪酸カルシウム等を用いて形成された管部材である筒状耐火被覆材にひび割れが生じて、燃え止まり層としての機能が損なわれ易くなる。
【００１１】
本発明は、貫通部に設置されて燃え止まり層として機能する筒状耐火被覆材を、精度良く且つ安価に形成することを可能にして、簡易に且つ低コストで設けることのできる貫通部の耐火被覆構造を提供することを目的とする。
【課題を解決するための手段】
【００１２】
本発明は、木造建築物の防火区画体に形成された貫通部、又は木造建築物の耐火構造材に形成された貫通部を耐火被覆する貫通部の耐火被覆構造であって、前記貫通部の内周面を覆って、筒状耐火被覆材が前記貫通部に取り付けられており、前記筒状耐火被覆材は、複数の石膏ボード片を、厚さ方向に積層した状態で接合一体化することにより筒状に形成されている貫通部の耐火被覆構造を提供することにより、上記目的を達成したものである。
【００１３】
そして、本発明の貫通部の耐火被覆構造は、複数の前記石膏ボード片が、環状の石膏ボード片となっていることが好ましい。
【００１４】
また、本発明の貫通部の耐火被覆構造は、複数の前記石膏ボード片の各々が、厚さが９．５ｍｍ〜２５．５ｍｍの石膏ボードから切り出されたものとなっていることが好ましい。
【００１５】
さらに、本発明の貫通部の耐火被覆構造は、複数の前記石膏ボード片が、留め金具を用いて互いに固定されることにより積層した状態で接合一体化されて、前記筒状耐火被覆材を形成していることが好ましい。
【００１６】
さらにまた、本発明の貫通部の耐火被覆構造は、前記石膏ボード片が、円環形状の石膏ボード片となっており、前記筒状耐火被覆材は、円筒形状の耐火被覆材となっていることが好ましい。
【００１７】
また、本発明の貫通部の耐火被覆構造は、前記耐火構造材が、荷重支持層となる構造用部材と、該構造用部材の表面を覆って配置されて燃え代層となる被覆部材とを含んで構成されており、前記貫通部は、前記構造用部材と前記被覆部材との境目部と交差して貫通形成されており、前記石膏ボード片を積層して形成されている前記筒状耐火被覆材は、積層方向に隣接する前記石膏ボード片の接合部を、前記構造用部材と前記被覆部材との境目部、又は該境目部と近接する部分に配置した状態で、前記貫通部に挿通されて取り付けられていることが好ましい。
【００１８】
さらに、本発明の貫通部の耐火被覆構造は、前記耐火構造材が、耐火梁となっており、該耐火梁は、荷重支持層となる構造用部材と、該構造用部材の両側の側面を覆って配置されて燃え代層となる一対の被覆部材とを含んで構成されており、前記貫通部は、前記構造用部材と前記被覆部材との２箇所の境目部と交差して貫通形成されており、前記石膏ボード片を積層して形成されている前記筒状耐火被覆材は、積層方向に隣接する前記石膏ボード片の２箇所の接合部を、２箇所の前記構造用部材と前記被覆部材との境目部、又は該境目部と近接する部分に各々配置した状態で、前記貫通部に挿通されて取り付けられていることが好ましい。
【発明の効果】
【００１９】
本発明の貫通部の耐火被覆構造によれば、貫通部に設置されて燃え止まり層として機能する筒状耐火被覆材を、精度良く且つ安価に形成することを可能にして、簡易に且つ低コストで設けることができる。
【図面の簡単な説明】
【００２０】
【図１】本発明の好ましい一実施形態に係る貫通部の耐火被覆構造によって貫通部が耐火被覆された、耐火構造材である耐火梁の略示斜視図である。
【図２】図１のＡ−Ａに沿った断面図である。
【図３】（ａ）、（ｂ）は、筒状耐火被覆材を形成する工程を説明する略示斜視図である。
【図４】（ａ）〜（ｄ）は、筒状耐火被覆材の形態を例示する略示斜視図である。
【図５】防火区画体である壁部に、耐火被覆された貫通部を設けた状態を例示する略示斜視図である。
【図６】防火区画体である天井部に、耐火被覆された貫通部を設けた状態を例示する略示断面図である。
【図７】防火区画体に貫通部を形成するための従来の構造を例示する、（ａ）は（ｂ）のＣ−Ｃに沿った略示断面図、（ｂ）は（ａ）のＢ−Ｂに沿った略示断面図である。
【図８】（ａ）、（ｂ）は、燃え代設計された耐火梁に配管を通すための従来の構造を例示する略示斜視図である。
【発明を実施するための形態】
【００２１】
本発明の好ましい一実施形態に係る貫通部の耐火被覆構造１０は、図１及び図２に示すように、例えば木造建築物の耐火構造材である耐火梁２０に、例えば配管や配線を通すための貫通部１１を形成する際に、貫通部１１の内周面を耐火被覆することにより、貫通部１１の部分で耐火梁２０の耐火性が失われて、燃え代設計された耐火梁２０の荷重支持層による支持力に影響を及ぼすことになるのを、効果的に回避できるようにするものである。本実施形態の耐火被覆構造１０は、貫通部１１に設置される筒状耐火被覆材１２を、好ましくは市販の石膏ボードを用いて、簡易に且つ精度良く、安価に形成できるようにすると共に、設置された貫通部１１の内部で、筒状耐火被覆材１２にひび割れ等が発生するのを効果的に防止して、安定した状態で貫通部１１に耐火性を付与できるようにする機能を備えている。
【００２２】
そして、本実施形態の貫通部の耐火被覆構造１０は、図１及び図２に示すように、木造建築物の耐火構造材である耐火梁２０に形成された貫通部１１を耐火被覆する耐火被覆構造であって、貫通部１１の内周面を覆って、筒状耐火被覆材１２が、貫通部１１に取り付けられている。筒状耐火被覆材１２は、図３（ａ）、（ｂ）に示すように、複数の石膏ボード片１３ａとして、好ましくは環状石膏ボード片を、厚さ方向に積層した状態で接合一体化することにより筒状に形成されている。
【００２３】
また、本実施形態では、好ましくは複数の環状石膏ボード片１３ａの各々は、円環形状の石膏ボード片となっており、厚さが９．５ｍｍ〜２５．５ｍｍの市販の石膏ボード１３から切り出されたものとなっている。複数の円環形状の環状石膏ボード片１３ａは、留め金具として好ましくはステープル１４（図３（ｂ）参照）を用いて互いに固定されることにより、積層した状態で接合一体化されて、円筒形状の筒状耐火被覆材１２を形成している。
【００２４】
さらに、本実施形態では、耐火梁２０は、図１及び図２に示すように、荷重支持層となる構造用部材２１と、構造用部材２１の両側の側面を覆って配置されて燃え代層となる一対の被覆部材２２とを含んで構成されており、貫通部１１は、構造用部材２１と被覆部材２２との２箇所の境目部２３と好ましくは垂直又は略垂直に交差して、貫通形成されている。環状石膏ボード片１３ａを積層した状態で形成されている筒状耐火被覆材１２は、積層方向に隣接する環状石膏ボード片１３ａの接合部１５を、耐火梁２０の構造用部材２１と被覆部材２２との２箇所の境目部２３、又は境目部２３と近接する部分に各々配置した状態で、貫通部１１に挿通されて取り付けられている。ここで、被覆部材２２の燃え代層としての機能は、燃え代層としての機能の他、燃え止まる層としての機能も含むものであり、燃え代層となる木製の被覆部材２２によって覆われた構造用部材２１は、燃え止まる木製の被覆部材２２で被覆した構造用部材２２と解することができる。
【００２５】
本実施形態では、耐火梁２０は、好ましくは４５分準耐火構造以上の耐火性能を備える梁として、燃え代設計された耐火梁となっている。すなわち、耐火梁２０は、例えば高さ５６０ｍｍ、幅１０５ｍｍ程度の縦長矩形の断面形状を有する、構造梁材として機能する構造用部材２１と、構造梁材２１の側面部を覆って各々配置される、構造用部材２１と同様の例えば高さ５６０ｍｍ、幅１０５ｍｍ程度の縦長矩形の断面形状を有する、燃え代用添え梁材として機能する一対の被覆部材２２と、構造用部材２１の下面部及び両側の被覆部材２２の下面部を、連続して覆い隠すようにして取り付けられた、耐火被覆材２４とを含んで構成されている。耐火被覆材２４は、覆い隠した部分の木材を火災時に４５分間以上、燃焼により損壊させない機能及び熱劣化させない機能を備える、例えば石膏ボード等を用いて三層構造で形成されている。また、耐火被覆材２４の、構造用部材２１及び被覆部材２２を覆い隠す面以外の外周面を覆って、化粧用木板材２５が取り付けられている。
【００２６】
ここで、耐火梁２０を構成する構造用部材２１と一対の被覆部材２２とは、接着剤や、くぎ、ビス等を用いて、一体として接合することもできるが、本実施形態では、好ましくは一体として接合されていない状態で設けられている。このため、構造用部材２１と一対の被覆部材２２とは、乾燥収縮や荷重を支持する際の挙動の相違によって、これらの境目部２３と交差して貫通形成された貫通部１１の内周面における当該境目部２３に、段差が生じやすくなっている。本実施形態では、筒状耐火被覆材１２が、複数の環状石膏ボード片１３ａを、留め金具として好ましくはステープル１４を用いて固定することにより、積層した状態で接合一体化して形成されているので、後述するように、境目部２３に生じた段差による影響を、接合部１５の部分で吸収できるようになっている。
【００２７】
本実施形態では、耐火梁２０の貫通部１１に挿通されて取り付けられる筒状耐火被覆材１２は、図３（ａ）、（ｂ）に示すように、好ましくは厚さが９．５ｍｍ〜２５．５ｍｍの石膏ボード１３からなる複数の円環形状の環状石膏ボード片１３ａを、厚さ方向に積層した状態で接合一体化することにより円筒形状となるように形成されている。石膏ボード１３は、石膏を主成分とした素材を板状にして、石膏ボード用原紙で包んで得られる建築材料であり、断熱性及び遮音性が高い材料として知られている。石膏ボード１３は、安価な板状部材として市販され、容易に入手可能であり、市販されている石膏ボードであればいずれのものでも使用できるが、石膏ボード１３には、例えばＪＩＳＡ６９０１−２０１４に規定される９．５ｍｍ、１２．５ｍｍ、１５ｍｍ、１６ｍｍ、１８ｍｍ、２１ｍｍ、２５ｍｍの厚さを有する、「せっこうボード」、「強化せっこうボード」及び「普通硬質せっこうボード」等が含まれ、同じ厚さの場合、石膏ボード１３としては、より耐火性能を高めた強化せっこうボードを好適に使用できる。尚、ＪＩＳＡ６９０１−２０１４においては、石膏ボードの厚さの許容差は０ｍｍ〜０．５ｍｍであり、例えば２５ｍｍの厚さを有する石膏ボードとしては、２５ｍｍ〜２５．５ｍｍの厚さを有する石膏ボードが許容される。さらに、石膏ボード１３は、例えばルーター等の公知の切断工具を使用して、所望の形状となるように精度良く容易に切り出すことが可能である。
【００２８】
本実施形態では、例えばルーターを使用して、市販の石膏ボード１３から、例えば内径が１１５ｍｍ、外径が１９５ｍｍ程度の大きさの、円環形状（ドーナツ形状）の平面形状を備えるように切り出して、複数の環状石膏ボード片１３ａを形成する。切り出した円環形状の環状石膏ボード片１３ａは、好ましくは表裏の両側の面に石膏ボード用原紙（図示せず）が付着している状態のまま、厚さ方向に複数枚（本実施形態では、１２枚）、積み重ねて積層した状態で接合一体化されて、円筒形状の筒状耐火被覆材１２を形成する。
【００２９】
ここで、環状石膏ボード片１３ａが、表裏の両側の面に紙が付着している状態のまま積層されることにより、環状石膏ボード片１３ａの表裏の両側の面が平滑となり、環状石膏ボード片１３ａ同士の積層面が平滑となるので、環状石膏ボード片１３ａ同士を隙間なく接着することが可能になる。また、環状石膏ボード片１３ａ同士をステープル等で隙間なく接着することにより、紙が付着している状態のまま環状石膏ボード片１３ａを積層しても、筒状耐火被覆材１２の耐火性能を確保することが可能になる。環状石膏ボード片１３ａは、表裏の両側の面から紙を取り外した状態で積層して接合一体化することもできる。
【００３０】
複数の円環状石膏ボード片１３ａは、公知の各種の接着剤を用いて、積み重ねて積層した状態で接合一体化することもできるが、本実施形態では、上述のように、留め金具として、好ましくはステープル１４（図３（ｂ）参照）を用いて互いに固定されて、積層した状態で接合一体化される。ステープルは、石膏ボードを固定する際の留め金具として公知の、コの字形状に折り曲げられた針部材である。ステープルは、建築用ホチキスとして公知の工具であるタッカー（ステープルガン）を用いて、石膏ボードを貫通して打ち込まれることで、石膏ボードを、他の石膏ボードや支持部材等に容易に固定することができる。一本のステープル１４を、例えば２〜３枚以上の石膏ボードに同時に貫通させると、石膏ボードが割れる可能性があるため、本実施形態では、ステープル１４は、その打ち込み長さが石膏ボードの厚みの１．５〜２倍程度の長さとなっており、好ましくは積み重ねられた隣接する各々の２枚毎の円環状石膏ボード片１３ａに対して、ステープル１４を順次打ち込んでゆくことで、１２枚の円環状石膏ボード片１３ａを互いに固定して、接合一体化するようになっている。また、１２枚の円環形状の環状石膏ボード片１３ａを接合一体化して形成された円筒形状の筒状耐火被覆材１２の、各隣接する環状石膏ボード片１３ａの接合部１５の部分の外周面には、接着剤として、例えば無機系接着剤のトラボンド（吉野石膏(株)製、登録商標）等を塗布して、接合強度や耐火性能を高めるようにすることが好ましい。
【００３１】
なお、複数の石膏ボード片１３ａを互いに固定するための留め金具１４として、ステープル１４の他、例えば釘、ピン、ねじ等の、留め金具として公知の種々の金物を用いることができる。
【００３２】
本実施形態では、１２枚の円環形状の環状石膏ボード片１３ａを接合一体化して形成された円筒形状の筒状耐火被覆材１２は、例えば耐火梁２０を貫通して形成された貫通部１１の長さとして、３１５ｍｍよりも若干短い、３００〜３１０ｍｍ程度の長さを有するように形成されると共に、例えば２００ｍｍの内径を有する貫通部１１の内径よりも若干小さい、１９５ｍｍの外径を有するように形成される。
【００３３】
ここで、筒状耐火被覆材１２は、例えば９．５ｍｍ、１２．５ｍｍ、１５ｍｍ、１６ｍｍ、１８ｍｍ、２１ｍｍ、２５ｍｍの厚さを有する市販の石膏ボード１３から切り出した、複数の円環状石膏ボード片１３ａを積み重ねて形成されるので、複数の異なる厚さの石膏ボード１３から、各々の円環状石膏ボード片１３ａを切り出す石膏ボード１３を適宜選択して、切り出された複数の石膏ボード１３を組み合わせて積層することで、筒状耐火被覆材１２の長さが所定の長さとなるように、容易に調整することが可能になる。また、複数の異なる厚さの石膏ボード１３から、各々の円環状石膏ボード片１３ａを切り出す石膏ボード１３を適宜選択して、切り出された複数の石膏ボード１３を組み合わせて積層することで、筒状耐火被覆材１２を耐火梁２０の貫通部１１に挿通して取り付けた際に、各隣接する環状石膏ボード片１３ａの接合部１５のうちの２箇所の接合部１５が、耐火梁２０の構造用部材２１と被覆部材２２との２箇所の境目部２３、又は境目部２３と近接する部分に各々配置されるように、筒状耐火被覆材１２のおける接合部１５の位置を適宜調整することが可能になる。
【００３４】
なお、筒状耐火被覆材１２を形成する環状石膏ボード片１３ａは、図４（ａ）に示すように、市販の石膏ボード１３から、円環形状の平面形状となるように切り出して積層する必要は必ずしも無く、図４（ｂ）に示すように、例えば円環形状を２分割した平面形状となるように切り出した石膏ボード片１３ａ’を積層して、分割耐火被覆材１２’を形成してから、形成した複数の分割耐火被覆材１２’を円周方向に接合一体化することによって、石膏ボード１３からなる複数の環状石膏ボード片１３ａが、厚さ方向に積層した状態で接合一体化して筒状に形成された筒状耐火被覆材１２（図４（ａ）参照）とすることもできる。図４（ｃ）に示すように、例えば円環形状を３分割した平面形状となるように切り出した石膏ボード片１３ａ”を積層して、分割耐火被覆材１２”を形成してから、形成した複数の分割耐火被覆材１２”を円周方向に接合一体化することによって、石膏ボード１３からなる複数の環状石膏ボード片１３ａが、厚さ方向に積層した状態で接合一体化して筒状に形成された筒状耐火被覆材１２（図４（ａ）参照）とすることもできる。
【００３５】
また、図４（ｄ）に示すように、例えば円環形状を２分割した平面形状となるように切り出した複数の石膏ボード片１３ａ’を、上下に隣接する石膏ボード片１３ａ’の位置を周方向に交互にずらして積層した状態で、複数の分割耐火被覆材１２’を形成し、これらを円周方向に接合一体化することによって、石膏ボード１３からなる複数の環状石膏ボード片１３ａが、厚さ方向に積層した状態で接合一体化して筒状に形成された筒状耐火被覆材１２（図４（ａ）参照）とすることもできる。
【００３６】
本実施形態では、貫通部の耐火被覆構造１０は、上述のようにして複数の環状石膏ボード片１３ａを接合一体化して形成された筒状耐火被覆材１２を、耐火梁２０に設けられた貫通部１１の内周面を覆うようにして、貫通部１１に挿通して取り付けることによって形成される。すなわち、図１及び図２に示すように、上述のようにして形成された筒状耐火被覆材１２を、耐火梁２０を貫通して、例えば内径が２００ｍｍ程度の大きさの円形の中空断面を有するように形成された貫通部１１に、各隣接する環状石膏ボード片１３ａの１１カ所の接合部１５のうちの、４番目と８番目の接合部１５が、耐火梁２０の構造用部材２１と被覆部材２２との２箇所の境目部２３、又は境目部２３と近接する部分に各々配設されるようにして、挿通配置する。また、挿入された筒状耐火被覆材１２の外周面と、貫通部１１の内周面との間の隙間に、例えば耐火パテ等を充填して固化させることにより、筒状耐火被覆材１２を貫通部１１に固定する。しかる後に、好ましくは貫通部１１に固定された筒状耐火被覆材１２の小口面の隙間を耐火パテ等を用いて埋めることによって、本実施形態の貫通部の耐火被覆構造１０が形成される。
【００３７】
なお、本実施形態では、耐火梁２０の上面部分には、耐火梁２０の上面を覆い隠すようにして、所定の耐火性能を備える公知の床部材(図示せず)が取り付けられることで、火災加熱時に火災加熱による影響が、上面側からは構造用部材２１に及ばないようになっている。これによって、耐火梁２０の上面部分には、耐火被覆材を設けなくても、構造用部材２１が燃焼により損壊したり熱劣化したりするのを、効果的に防止できるようになっている。
【００３８】
そして、上述の構成を備える本実施形態の貫通部の耐火被覆構造１０によれば、貫通部１１に設置されて燃え止まり層として機能する筒状耐火被覆材１２を、精度良く且つ安価に形成することを可能にして、簡易に且つ低コストで設けることが可能になる。
【００３９】
すなわち、本実施形態によれば、貫通部の耐火被覆構造１０は、耐火梁２０に形成された貫通部１１の内周面を覆って当該貫通部１１に挿通配置された筒状耐火被覆材１２が、複数の環状石膏ボード片１３ａを、厚さ方向に積層した状態で接合一体化することにより筒状に形成されているので、好ましくは市販される安価な厚さが９．５ｍｍ〜２５．５ｍｍの石膏ボード１３から、複数の環状石膏ボード片１３ａを精度良く切り出して積層することで、成形用の筒状の型をその都度形成することなく、筒状耐火被覆材１２を、精度良く且つ安価に形成することが可能になると共に、形成された筒状耐火被覆材１２を貫通部１１に設置して固定するだけの、簡単な作業によって、簡易に且つ低コストで設けることが可能になる。
【００４０】
また、本実施形態では、筒状耐火被覆材１２は、好ましくは複数の環状石膏ボード片１３ａを、ステープル留めすることにより積層した状態で接合一体化することで形成されており、積層方向に隣接する環状石膏ボード片１３ａの２箇所の接合部１５を、耐火梁２０における２箇所の構造用部材２１と被覆部材２２との境目部２３、又は境目部２３と近接する部分に各々配置した状態で、貫通部１１に取り付けられている。これによって、例えば構造用部材２１と被覆部材２２とが乾燥収縮する際の挙動の相違や荷重を支持する際の挙動の相違によって、これらの境目部２３において貫通部１１に段差が生じても、生じた段差を、境目部２３又は境目部２３と近接する部分に配置された接合部１５の両側で、隣接する環状石膏ボード片１３ａがずれることにより吸収して、筒状耐火被覆材１２にひび割れが生じて、燃え止まり層としての機能が損なわれ易くなるのを、効果的に回避することが可能になる。
【００４１】
図５は、本発明の好ましい他の実施形態に係る貫通部の耐火被覆構造３０を例示するものである。本他の実施形態の耐火被覆構造３０では、木造建築物の防火区画体として、耐火構造の壁に形成された貫通部３１を耐火被覆するための構造として設けられたものである。すなわち、本他の実施形態の耐火被覆構造３０では、石膏ボード片として、好ましくは厚さが９．５ｍｍ〜２５．５ｍｍの石膏ボードからなる円環形状の複数の環状石膏ボード片３３ａを、厚さ方向に積層した状態で接合一体化することにより形成された、好ましくは円筒形状の筒状耐火被覆材３２を、耐火構造の壁を構成する柱や間柱３４に支持させて取り付けた、受け台３５の上に載置して固定することによって、当該円筒形状の筒状耐火被覆材３２による貫通部３１が、耐火構造の壁を貫通して設けられるようになっている。またこれによって、貫通部３１の内周面を覆って、筒状耐火被覆材３２が、当該筒状耐火被覆材３２による貫通部３１に取り付けられることになる。
【００４２】
なお、図５に示す他の実施形態では、筒状耐火被覆材３２を取り付けられた後に、柱や間柱３４に支持させて壁の表裏の面に、所定の耐火性能を備える公知の壁用面材が取り付けられることにより、筒状耐火被覆材３２による貫通部３１が設けられた、耐火構造の壁に形成されることになる。
【００４３】
本他の実施形態の貫通部の耐火被覆構造３０によっても、貫通部３１を形成する筒状耐火被覆材３２が、厚さが９．５ｍｍ〜２５．５ｍｍの石膏ボードからなる複数の環状石膏ボード片３３ａを、厚さ方向に積層した状態で接合一体化することにより筒状に形成されているので、上記の実施形態の貫通部の耐火被覆構造１０と、同様の作用効果が奏される。
【００４４】
図６は、本発明の好ましい更に他の実施形態に係る貫通部の耐火被覆構造４０を例示するものである。図６示す耐火被覆構造４０では、木造建築物の防火区画体として、耐火構造の天井（又は床）に形成された、上下階に亘って配管４４を通す貫通部４１を耐火被覆するための構造として設けられたものである。すなわち、本他の実施形態の耐火被覆構造４０では、石膏ボード片として、好ましくは厚さが９．５ｍｍ〜２５．５ｍｍの石膏ボードからなる円環形状の複数の環状石膏ボード片４３ａを、厚さ方向に積層した状態で接合一体化することにより形成された、好ましくは円筒形状の筒状耐火被覆材４２を、耐火性能を備える下階の天井部材４５と耐火性能を備える上階の床部材４６との間の天井懐部４７に、天井部材４５と床部材４６との間に亘って取り付けることによって、当該円筒形状の筒状耐火被覆材４２による貫通部４１が、下階の天井部材４５と上階の床部材４６との間を貫通して設けられるようになっている。またこれによって、貫通部４１の内周面を覆って、筒状耐火被覆材４２が、当該筒状耐火被覆材３２による貫通部４１に取り付けられることになる。
【００４５】
図６に示す貫通部の耐火被覆構造４０によっても、貫通部４１を形成する筒状耐火被覆材４２が、厚さが９．５ｍｍ〜２５．５ｍｍの石膏ボードからなる複数の環状石膏ボード片４３ａを、厚さ方向に積層した状態で接合一体化することにより筒状に形成されているので、上記の実施形態の貫通部の耐火被覆構造１０と、同様の作用効果が奏される。
【００４６】
なお、本発明は上記各実施形態に限定されることなく種々の変更が可能である。例えば、石膏ボード片は、円環形状の環状石膏ボード片である必要は必ずしも無く、その他の形状の環状に形成された石膏ボード片や、環状となるように連接可能な石膏ボード片であっても良い。筒状耐火被覆材は、円筒形状の耐火被覆材である必要は必ず無く、角筒形状等のその他の形状の筒状に形成された耐火被覆材であっても良い。貫通部が形成される耐火構造材は、荷重支持層となる構造用部材と、燃え代層となる一対の被覆部材とを含んで構成される耐火梁である必要は必ずしも無く、荷重支持層となる構造用部材と、構造用部材の表面を覆って配置されて燃え代層、又は燃え止まり層、若しくはその両方となる被覆部材とを含んで構成され、構造用部材と前記被覆部材との境目部と交差して貫通部が貫通形成されている、その他の種々の構造用部材であっても良い。この場合に、好ましくは環状石膏ボード片を積層して形成されている筒状耐火被覆材は、積層方向に隣接する環状石膏ボード片の接合部を、構造用部材と被覆部材との境目部、又は該境目部と近接する部分に配置した状態で、貫通部に挿通して取り付けることができる。
【符号の説明】
【００４７】
１０，３０，４０  耐火被覆構造
１１，３１，４１  貫通部
１２，３２，４２  筒状耐火被覆材
１２’，１２”  分割耐火被覆材
１３  石膏ボード
１３ａ，３３ａ，４３ａ  環状石膏ボード片（石膏ボード片）
１３ａ’，１３ａ”  石膏ボード片
１４  ステープル（留め金具）
１５  接合部
２０  耐火梁
２１  構造用部材
２２  被覆部材
２３  境目部
２４  耐火被覆材
２５  化粧用木板材
３４  柱や間柱
３５  受け台
４４  配管
４５  天井部材
４６  床部材
４７  天井懐部
【図１】
2019112795.tif 000003
【図２】
2019112795.tif 000004
【図３】
2019112795.tif 000005
【図４】
2019112795.tif 000006
【図５】
2019112795.tif 000007
【図６】
2019112795.tif 000008
【図７】
2019112795.tif 000009
【図８】
2019112795.tif 000010